(57)【要約】【課題】ショートサーキットを防止することができるとともに、外観にも優れたカーテンウォールユニット、及び該ユニットを備えるカーテンウォールを提供する。【解決手段】カーテンウォールユニット１０Ａであって、横枠４０、５０、６０及び縦枠２０Ａ、３０Ａにより形成される枠体１５と、枠体により区画される枠内に配置される第一のガラスパネル７０と、第一のガラスパネルと所定の間隔を有し、該第一のガラスパネルの一方の面に面を対向させて配置され、枠体により区画される枠内に具備される第二のガラスパネル７５と、を備え、枠体、第一のガラスパネル、及び第二のガラスパネルにより囲まれる中空層Ｐが形成され、枠体の縦枠の一方の該縦枠には、中空層に通じる第一の流通口２０Ａａが１つ設けられ、縦枠の他方の該縦枠には、中空層に通じるとともに、第一の流通口より高い位置に第二の流通口３０Ａａが１つ設けられる。【選択図】図１
2011111833.tif 000002
【特許請求の範囲】
【請求項１】
建物の外周部に配置されるカーテンウォールユニットであって、
横枠及び縦枠により形成される枠体と、
前記枠体により区画される枠内に配置される第一のガラスパネルと、
前記第一のガラスパネルと所定の間隔を有し、該第一のガラスパネルの一方の面に面を対向させて配置され、前記枠体により区画される枠内に具備される第二のガラスパネルと、を備え、
前記枠体、前記第一のガラスパネル、及び前記第二のガラスパネルにより囲まれる中空層が形成され、
前記枠体の前記縦枠の一方の該縦枠には、前記中空層に通じる第一の流通口が１つ設けられ、前記縦枠の他方の該縦枠には、前記中空層に通じるとともに、前記第一の流通口より高い位置に第二の流通口が１つ設けられる、カーテンウォールユニット。
【請求項２】
前記縦枠には、前記中空層内への水の侵入を防止する水侵入防止手段が具備されていることを特徴とする請求項１に記載のカーテンウォールユニット。
【請求項３】
請求項１又は２に記載のカーテンウォールユニットを建物外周に沿って上下左右に並列して形成されるカーテンウォールであって、
左右に配置される前記カーテンウォールユニット間では、前記第一の流通口が設けられた前記縦枠が組み合わされるとともに、前記第二の流通口が設けられた前記縦枠が組み合わされることを特徴とする、カーテンウォール。
【発明の詳細な説明】
【技術分野】
【０００１】
本発明は、建物外周に並列されるカーテンウォールユニット、及び該カーテンウォールユニットを備えるカーテンウォールに関し、詳しくはダブルスキンカーテンウォールユニット、及びカーテンウォールに関する。
【背景技術】
【０００２】
カーテンウォールは、予め組み立てておいたカーテンウォールユニットを建物躯体に金具により取り付けるだけでよいため、施工性に優れることに加え、近年におけるガラス基調の外観への要望にも対応できることから、新築及び建て替えビル等に採用されることが増えてきている。
【０００３】
カーテンウォールユニットは、１枚のガラスパネルにより室内外を区切るシングルスキンカーテンウォール、及び室内外に所定の間隙を有して並列された複数（通常は２枚）のガラスパネルにより室内外を区切るダブルスキンカーテンウォールがある。このダブルスキンカーテンウォールでは、室外側に配置されるガラスパネルと室内側に配置されるガラスパネルとの間に中空層が形成される。このような中空層により、冬季等の寒い時期には、これが断熱層として機能し、室内側の暖房効率を向上させることができる。一方、夏季等の暑い時期には、中空層内の空気を換気することにより、直射日光により暖められたガラスパネルや中空層内に配置されたブラインド等の温度上昇を緩和することができ、これらの熱が室内へ流れることを抑制することが可能となることから、室内側の冷房効率を向上させることができる。
【０００４】
近年における地球温暖化抑止の必要性に対応して、温室効果ガスの排出量を削減するための省エネルギーを実現する観点からも、上記したような冷暖房効率の向上を可能とするカーテンウォールユニットの構造が以前にも増して重要となっている。
【０００５】
ところで、ダブルスキンカーテンウォールユニットでは、ガラスパネルを室内外方向に並列させるので、どうしても室内側にスペースを割く必要がある。従って、設置空間を可能な限り薄くすることが望ましい。しかし、このように薄型化をすると、中空層が狭くなり、通風量の減少や通風抵抗の増大により上記した換気の効率が悪くなる傾向にある。
【０００６】
中空層を換気する手段として特許文献１が開示されている。特許文献１に記載のカーテンウォールでは、枠体を形成する下の横枠及び上の横枠に中空層に連通する換気口を設け、当該上下の換気口間で空気を流通させることができる。
【０００７】
また、特許文献２に記載のカーテンウォールユニット（二重窓ユニット）では、枠体の縦枠に沿って中空層に連通する複数の孔を設け、これにより中空層内を換気することが可能とされている。
【先行技術文献】
【特許文献】
【０００８】
【特許文献１】特許第４３２５８０６号公報
【特許文献２】特開２００６−２３９５号公報
【発明の開示】
【発明が解決しようとする課題】
【０００９】
しかし、特許文献１に記載のカーテンウォールでは、あるカーテンウォールユニットの上横枠に配置されている換気口と、その上に隣接するカーテンウォールの下横枠に配置されている換気口と、が上下に隣接して並列する。従って、下側のカーテンウォールユニットから流出した空気が再び上側のカーテンウォールユニットに流入するといういわゆるショートサーキットが起こり易く、換気の効率が低減してしまう。また、換気口を有する上下横枠が重なるため、カーテンウォールとして形成した際に横枠部分が厚くなり、外観上好ましくなかった。
【００１０】
一方、特許文献２に記載されているカーテンウォールでは、複数の換気口のいずれもが縦枠に形成されているので、横枠が厚くなることを防止することができ、複数の孔が設けられて、ショートサーキットを低減することが可能とされている。しかしながら、空気の流れが縦方向に概ね同じライン上にあるため、依然としてショートサーキットの問題があった。
【００１１】
そこで、本発明は上記問題点に鑑み、ショートサーキットを防止することができるとともに、外観にも優れたカーテンウォールユニット、及び該ユニットを備えるカーテンウォールを提供することを課題とする。
【課題を解決するための手段】
【００１２】
以下、本発明について説明する。なお、本発明の理解を容易にするために添付図面の参照符号を括弧書きにて付記するが、それにより本発明が図示の形態に限定されるものではない。
【００１３】
請求項１に記載の発明は、建物の外周部に配置されるカーテンウォールユニット（１０Ａ、１０Ｂ）であって、横枠（４０、５０、６０）及び縦枠（２０Ａ、３０Ａ、２０Ｂ、３０Ｂ）により形成される枠体（１５）と、枠体により区画される枠内に配置される第一のガラスパネル（７０）と、第一のガラスパネルと所定の間隔を有し、該第一のガラスパネルの一方の面に面を対向させて配置され、枠体により区画される枠内に具備される第二のガラスパネル（７５）と、を備え、枠体、第一のガラスパネル、及び第二のガラスパネルにより囲まれる中空層（Ｐ）が形成され、枠体の縦枠の一方の該縦枠には、中空層に通じる第一の流通口（２０Ａａ、３０Ｂａ）が１つ設けられ、縦枠の他方の該縦枠には、中空層に通じるとともに、第一の流通口より高い位置に第二の流通口（３０Ａａ、２０Ｂａ）が１つ設けられる、カーテンウォールユニットである。
【００１４】
請求項２に記載の発明は、請求項１に記載のカーテンウォールユニット（１０Ａ、１０Ｂ）において、縦枠（２０Ａ、３０Ａ、２０Ｂ、３０Ｂ）には、中空層（Ｐ）内への水の侵入を防止する水侵入防止手段（９０、１９０、２９０、３９０）が具備されていることを特徴とする。
【００１５】
請求項３に記載の発明は、請求項１又は２に記載のカーテンウォールユニット（１０Ａ、１０Ｂ）を建物外周に沿って上下左右に並列して形成されるカーテンウォールであって、左右に配置されるカーテンウォールユニット間では、第一の流通口（２０Ａａ、３０Ｂａ）が設けられた縦枠（２０Ａ、３０Ｂ）が組み合わされるとともに、第二の流通口（３０Ａａ、２０Ｂａ）が設けられた縦枠（３０Ａ、２０Ｂ）が組み合わされることを特徴とする、カーテンウォールである。
【発明の効果】
【００１６】
本発明のカーテンウォールユニット、及びカーテンウォールによれば、中空層内の換気に関して、ショートサーキットを防止することができ、中空層内の温度上昇を低く抑えることができる。これにより省エネルギーに貢献することが可能となる。
また、その外観に関しては、横枠が太くなることを抑制することができ、外観に優れたカーテンウォールユニット、及びカーテンウォールを提供することができる。
【図面の簡単な説明】
【００１７】
【図１】１つの実施形態に係るカーテンウォールの室外視正面図である。
【図２】水平に隣接する２つのカーテンウォールユニットに注目した図である。
【図３】図２にIII-IIIで示した矢視断面図である。
【図４】図２にIV-IVで示した矢視断面図である。
【図５】図２にV-Vで示した矢視断面図である。
【図６】図２にVI-VIで示した矢視断面図である。
【図７】図２にVII-VIIで示した矢視断面図である。
【図８】図２にVIII-VIIIで示した矢視断面図である。
【図９】水侵入防止手段に注目した図である。
【図１０】水侵入防止手段１９０に注目した図である。
【図１１】水侵入防止手段２９０に注目した図である。
【図１２】水侵入防止手段３９０に注目した図である。
【発明を実施するための形態】
【００１８】
本発明の上記した作用及び利得は、次に説明する発明を実施するための形態から明らかにされる。以下本発明を図面に示す実施形態に基づき説明する。
【００１９】
図１に１つの実施形態に係るカーテンウォールが構成された建物の外観の一部を示した。図１からわかるように、建物外壁の一態様であるカーテンウォールは、複数のカーテンウォールユニット１０Ａ、１０Ａ、…、１０Ｂ、１０Ｂ、…が建物躯体に上下左右に並列されて取り付けられることにより形成される。本実施形態では、図１からわかるように、カーテンウォールユニット１０Ａとカーテンウォールユニット１０Ｂとが交互に水平方向に並列され、上下方向にはカーテンウォールユニット１０Ａ、１０Ａ、…又はカーテンウォールユニット１０Ｂ、１０Ｂ、…が並列されている。
【００２０】
図２には水平方向に隣接する２つのカーテンウォールユニット１０Ａ、１０Ｂに注目した外観視正面図を示した。
図３には図２にIII-IIIで示した矢視断面図、図４には図２にIV-IVで示した矢視断面図、図５には図２にV-Vで示した矢視断面図、図６には図２にVI-VIで示した矢視断面図、図７には図２にVII-VIIで示した矢視断面図、及び図８には図２にVIII-VIIIで示した矢視断面図をそれぞれ表わした。図３、図５では紙面左が室外側、紙面右が室内側である。図４、図６では紙面右が室外側、紙面左が室内側である。また、図７、図８では、紙面の下が室外側、紙面の上が室内側である。
図２〜図８及び適宜示す図を参照しつつカーテンウォールユニット１０Ａ、１０Ｂについて説明する。
【００２１】
カーテンウォールユニット１０Ａとカーテンウォールユニット１０Ｂとは、縦枠２０Ａ、３０Ａ、２０Ｂ、３０Ｂにおける流通口としてのスリット２０Ａａ、３０Ａａ、２０Ｂａ、３０Ｂａの位置が異なるのみで、それ以外の形状（例えば断面形状等）は共通である。従って、はじめにスリット２０Ａａ、３０Ａａ、２０Ｂａ、３０Ｂａ以外の部位のカーテンウォールユニット１０Ａ、１０Ｂの形態をカーテンウォールユニット１０Ａに代表させて説明する。そして、その後にスリット２０Ａａ、３０Ａａ、２０Ｂａ、３０Ｂａの態様について説明する。
【００２２】
カーテンウォールユニット１０Ａは、図２からわかるように、枠体１５、及び該枠体１５により区画された枠内に配置される室外側ガラスパネル７０、室内側ガラスパネル７５（図３、図４参照）、スパンドレル部ガラスパネル８０、ボード８５（図３、図４参照）を備えている。
【００２３】
枠体１５は、縦枠２０Ａ、縦枠３０Ａ、及び横枠である上横枠４０、下横枠５０、中間横枠６０が矩形枠状に組み合わせられて構成されている。ここでカーテンウォールユニット１０Ｂでは縦枠２０Ｂが縦枠２０Ａに相当し、縦枠３０Ｂが縦枠３０Ａに相当する。
図２からよくわかるように、縦枠２０Ａ、３０Ａ、上横枠４０、下横枠５０により枠状が形成され、上横枠４０と下横枠５０との間に中間横枠６０が縦枠２０Ａ、３０Ａ間を渡して区切るように配置される。これにより、縦枠２０Ａ、３０Ａ、中間横枠６０、下横枠５０により区画される第一区画部１１、及び縦枠２０Ａ、３０Ａ、上横枠４０、中間横枠６０により区画される第二区画部１２が形成される。第一区画部１１は、建物の居住空間の建物外周部に対応する部位に配置され、第二区画部１２は、各階の天井及び床に対応する部位に配置され、スパンドレル部と呼ばれることもある。
【００２４】
上横枠４０は、図３、図４にその断面が表れているように（ただし、この上横枠４０は図２に実線で示したカーテンウォール１０Ａの下に配置されるカーテンウォール１０Ａの上横枠４０である。断面は同一であり、説明のし易さからこれにより説明する。）、室内外方向（見込み方向）に延在する片４１を有している。また、片４１の室外側にはスパンドレル部ガラスパネル８０の上端部を受け入れるガラスパネル取り付け部４２が備えられ、室内側には、ボード８５の上端部を受け入れるボード取り付け部４３が具備される。また、片４１の上面側には上に隣接するカーテンウォールユニット１０Ａの下横枠５０の凸部５４が係合する被係合部４４を有している。
【００２５】
下横枠５０は、図３、図４にその断面が表れているように、室内外方向（見込み方向）に延在する片５１を有している。片５１の室外側には室外側ガラスパネル７０の下端部を受け入れるガラスパネル取り付け部５２が備えられ、室内側には、室内側ガラスパネル７５の下端部を受け入れるガラスパネル取り付け部５３が具備される。
また、片５１の下面側には、下に隣接するカーテンウォールユニット１０Ａの上横枠４０の被係合部４４に係合する凸部５４を有している。
【００２６】
中間横枠６０は、図３、図４にその断面が表れているように、室内外方向（見込み方向）に延在する片６１を有している。片６１の室外側には室外側ガラスパネル７０の上端部を受け入れるガラスパネル取り付け部６２が備えられ、室内側には、室内側ガラスパネル７５の上端部を受け入れるガラスパネル取り付け部６３が具備される。また、片６１の下面にはブラインド１３が垂下するように取り付けられている。
さらに、片６１の室外側にはスパンドレル部ガラスパネル８０の下端部を受け入れるガラスパネル取り付け部６４を備え、室内側には、ボード８５の下端部を受け入れるボード取り付け部６５を具備する。
【００２７】
縦枠２０Ａは、図７にその断面が表れているように、室内外方向（見込み方向）に延在する片２１を有している。片２１の室外側には室外側ガラスパネル７０の側端部を受け入れるガラスパネル取り付け部２２が備えられ、室内側には、室内側ガラスパネル７５の側端部を受け入れるガラスパネル取り付け部２３が具備される。
片２１の面のうち、水平方向に隣接するカーテンウォールユニット１０Ｂと組み合わされたときに、該隣接するカーテンウォールユニット１０Ｂに面する面からは、見付方向に延在する片２４、及び該片２４より室内側に配置される片２５を有している。
【００２８】
縦枠３０Ａは、図８にその断面が表れているように、室内外方向（見込み方向）に延在する片３１を有している。片３１の室外側には室外側ガラスパネル７０の側端部を受け入れるガラスパネル取り付け部３２が備えられ、室内側には、室内側ガラスパネル７５の側端部を受け入れるガラスパネル取り付け部３３が具備される。
片３１の面のうち、隣接するカーテンウォールユニット１０Ｂと組み合わされたときに、該隣接するカーテンウォールユニット１０Ｂに面する面からは、見付方向に延在する片３４、及び該片３４より室内側に配置される片３５を有している。片３４、片３５の先端にはそれぞれパッキンが備えられている。
【００２９】
室外側ガラスパネル７０は、図２〜図８からわかるように、上記枠体１５の第一区画部１１のうち、室外側に配置される第一のガラスパネルである。従って、その４辺が縦枠２０Ａ、縦枠３０Ａ、下横枠５０、及び中間横枠６０のそれぞれのガラスパネル取り付け部２２、３２、５２、６２にパッキン材とともに水密気密が確保されて取り付けられている。
【００３０】
室内側ガラスパネル７５は、図３〜図８からわかるように、上記枠体１５の第一区画部１１のうち、室内側に配置される第二のガラスパネルであり、複層ガラスパネルである。従って、室外側ガラスパネル７０と室内側ガラスパネル７５とは室内外に所定の間隔を有して並列される。室内側ガラスパネル７５の４辺は縦枠２０Ａ、縦枠３０Ａ、下横枠５０、及び中間横枠６０のそれぞれのガラスパネル取り付け部２３、３３、５３、６３にパッキン材とともに水密気密が確保されて取り付けられている。
【００３１】
スパンドレル部ガラスパネル８０は、図２〜図８からわかるように、上記枠体１５の第二区画部１２のうち、室外側に配置されるガラスパネルである。従って、その４辺が縦枠２０Ａ、縦枠３０Ａ、上横枠４０、及び中間横枠６０のそれぞれのガラスパネル取り付け部２２、３２、４２、６４にパッキン材とともに水密気密が確保されて取り付けられている。
【００３２】
ボード８５は、図３〜図８からわかるように、上記枠体１５の第二区画部１２のうち、室内側に配置され、その内側を室外視から隠蔽する板状部材である。従って、スパンドレル部ガラスパネル８０とボード８５とは室内外に所定の間隔を有して並列される。ボード８５の４辺は縦枠２０Ａ、縦枠３０Ａ、上横枠４０、及び中間横枠６０のそれぞれにパッキン材とともに水密気密が確保されて取り付けられている。
【００３３】
以上のように組み合わされたカーテンウォールユニット１０Ａでは、図３〜図８からわかるように、第一区画部１１において、その四方を縦枠２０Ａ、縦枠３０Ａ、中間横枠６０、及び下横枠５０で囲まれ、その室内外面を室外側ガラスパネル７０及び室内側ガラスパネル７５で閉鎖された中空層Ｐが形成される。
【００３４】
次に流通口としてのスリット２０Ａａ、３０Ａａ、２０Ｂａ、３０Ｂａについて説明する。
スリット２０Ａａは、図２、図４からわかるように、縦枠２０Ａのうちカーテンウォールユニット１０Ａの中空層Ｐに面する部位で、該中空層Ｐの下部に配置される第一の流通口である。スリット２０Ａａは片２１を貫通し、カーテンウォールユニット１０Ａの中空層Ｐ内と外部とを連通している。
スリット３０Ａａは、図２、図３からわかるように、縦枠３０Ａのうちカーテンウォールユニット１０Ａの中空層Ｐに面する部位で、該中空層Ｐの上部に配置される第二の流通口である。スリット２０Ａａは片３１を貫通し、カーテンウォールユニット１０Ａの中空層Ｐ内と外部とを連通している。
ここで、スリット３０Ａａは、スリット２０Ａａよりも高い位置に配置される。スリット２０Ａａとスリット３０Ａａとの高低差は特に限定されるものではないが、後述するように、空気の密度低下による浮力で空気をスリット３０Ａａから流出させるので、できるだけ大きい高低差があることが好ましい。
【００３５】
また、スリット２０Ａａ、３０Ａａの開口面積は空気の流入・流出が円滑に行われる観点から決められる。当該開口面積を決める１つの例として相当開口面積による考えから開口面積の大きさ等を得ることも可能である。相当開口面積とは、換気に有効な面積を意味するもので、αＡ（ｃｍ２）で表され、次式（１）から求められる。
αＡ＝２．７８（γ／２ｇ）１／２・Ｑ０・（Δｐ）（１／ｎ−０．５）      （１）
ここで、γは空気の密度（ｋｇ／ｍ３）、Ｑ０は内外差圧Δｐ＝１ｍｍＡｑ（９．８Ｐａ）の時の漏気量Ｑ（ｍ３／ｈ）、ｇは重力加速度（ｍ／ｓ２）、ｎは隙間特性を表す係数（層流時は１、乱流時は２の値をとる。）、及びαは流量係数を意味する。
【００３６】
一方、カーテンウォールユニット１０Ｂの方に具備されるスリット２０Ｂａは、図２、図６からわかるように、縦枠２０Ｂのうちカーテンウォールユニット１０Ｂの中空層Ｐに面する部位で、該中空層Ｐの上部に配置される第二の流通口である。スリット２０Ｂａは片２１を貫通し、カーテンウォールユニット１０Ｂの中空層Ｐ内と外部とを連通している。
スリット３０Ｂａは、図２、図５からわかるように、縦枠３０Ｂのうちカーテンウォールユニット１０Ｂの中空層Ｐに面する部位で、該中空層Ｐの下部に配置される第一の流通口である。スリット２０Ｂａは片３１を貫通し、カーテンウォールユニット１０Ｂの中空層Ｐ内と外部とを連通している。
ここで、スリット２０Ｂａは、スリット３０Ｂａよりも高い位置に配置される。スリット２０Ｂａとスリット３０Ｂａとの高低差は特に限定されるものではないが、後述するように、空気の密度低下による浮力で空気をスリット２０Ｂａから流出させるので、できるだけ大きい高低差があることが好ましい。
スリット２０Ｂａ、３０Ｂａの開口の大きさについては上記したスリット２０Ａａ、２０Ｂａと共通するので説明を省略する。
【００３７】
本実施形態では、中間横枠６０が室外側に露出する位置まで達することにより、第一区画部１１と第二区画部１２とでは異なるガラスパネル（室外側ガラスパネル７０及びスパンドレル部ガラスパネル８０）とを配置した。しかし、これに限定されるものでなく、例えば第一区画部と第二区画部とで水密気密が取られれば中間横枠は室外側に露出せず、第一区画部と第二区画部とが共通の１枚の室外側のガラスパネルを有していてもよい。
【００３８】
上記したカーテンウォールユニット１０Ａ、１０Ｂが他のカーテンウォールユニット１０Ａ、１０Ｂと組み合わされる際には、次のようになされる。
あるカーテンウォールユニット１０Ａと、この下方に隣接して組み合わされるカーテンウォールユニット１０Ａとは、図３、図４によく表れている。すなわち、上側に配置されるカーテンウォールユニット１０Ａの下横枠５０に具備される凸部５４が、下側に配置されるカーテンウォールユニット１０Ａの上横枠４０に具備される被係合部４４に係合する。同様に、図５、図６によく表れているように、上側に配置されるカーテンウォールユニット１０Ｂの下横枠５０に具備される凸部５４が、下側に配置されるカーテンウォールユニット１０Ｂの上横枠４０に具備される被係合部４４に係合する。
【００３９】
一方、水平方向に隣接するカーテンウォールユニット１０Ａ、１０Ｂの組み合わせは、図７に表れているように、次のようなものとなる。すなわち、カーテンウォール１０Ａの縦枠２０Ａの片２４に、これに隣接するカーテンウォールユニット１０Ｂの縦枠３０Ｂの片３４がパッキンを介して密着される。同様に、縦枠２０Ａの片２５に、これに隣接するカーテンウォールユニット１０Ｂの縦枠３０Ｂの片３５がパッキンを介して密着される。また、ガラスパネル取り付け部２３と、これに隣接するカーテンウォールユニット１０Ｂの縦枠３０Ｂのガラスパネル取り付け部３３とがパッキンを介して密着される。
この際には縦枠２０Ａと縦枠３０Ｂとの間に中空層Ｐ、Ｐ、スリット２０Ａａ、３０Ｂａ、及び室外を通じる流通路が形成される。
【００４０】
同様に、図８に表れているように、カーテンウォール１０Ｂの縦枠２０Ｂの片２４に、これに隣接するカーテンウォールユニット１０Ａの縦枠３０Ａの片３４がパッキンを介して密着される。また、縦枠２０Ｂの片２５に、これに隣接するカーテンウォールユニット１０Ａの縦枠３０Ａの片３５がパッキンを介して密着される。ガラスパネル取り付け部２３と、これに隣接するカーテンウォールユニット１０Ｂの縦枠３０Ｂのガラスパネル取り付け部３３とがパッキンを介して密着される。
この際には縦枠２０Ｂと縦枠３０Ａとの間に中空層Ｐ、Ｐ、スリット２０Ｂａ、３０Ａａ、及び室外を通じる流通路が形成される。
【００４１】
カーテンウォール１０Ａ、１０Ｂの上記した組み合わせ、及び具備されるスリット２０Ａａ、３０Ａａ、２０Ｂａ、３０Ｂａにより、図２に示したように、中空層Ｐの低い位置に配置された第一の流通口であるスリット２０Ａａ及び３０Ｂａは、互いに向き合って組み合わされた縦枠２０Ａ、３０Ｂに具備される。一方、中空層Ｐの高い位置に配置された第二の流通口であるスリット３０Ａａ、２０Ｂａは、互いに向き合って組み合わされた縦枠３０Ａ、２０Ｂに具備される。
【００４２】
以上のようなカーテンウォールユニット１０Ａ、１０Ｂ、…により建物に形成されたカーテンウォールによれば、空気の流入通路、及び流出通路が縦枠に配置されているので、横枠が太くなることを抑制することができる。従って、外観にも優れたカーテンウォールを構成することが可能となる。
例えば、１つの建物において外壁が面している方角により、シングルスキンカーテンウォールとダブルスキンカーテンウォールとを使い分ける場合に、その外観を統一しするに際し、横枠が太すぎることのない好ましい態様で統一することができる。
また、枠が太くなることが抑制されることによって、その汚れも少なく、また目立たなくなる。特に、給排気のための露出した大型水返し部材（いわゆるガラリ）が必要ないので、その汚れによる外観の不具合を防止することができる。これに加えて、部材や通気口の構成が簡素化され、カーテンウォールを安価に提供することが可能となった。
【００４３】
カーテンウォールユニット１０Ａ、１０Ｂ、…を備えるカーテンウォールによれば、中空層Ｐ内の空気は次のように換気される。図１〜図８を参照しつつ説明する。
はじめに、日射等により室外側ガラスパネル７０、室内側ガラスパネル７５、ブラインド１３等が暖められ、中空層Ｐ内の空気が加熱されるので、中空層Ｐ内の空気は暖められるとともに、その密度が小さくなる。
このように密度の小さくなった空気は上昇し、縦枠２０Ｂ、３０Ａの第二の流通口であるスリット２０Ｂａ、３０Ａａから順次空気を押し出すように中空層Ｐ内の空気が外に流出される。このとき、空気は図１、図３、図６、図８にＱ、Ｑ、…で示したように、中空層Ｐから室外へ流れる。
【００４４】
一方、中空層Ｐからの空気の流出にともない、縦枠２０Ａ、３０Ｂの第一の流通口であるスリット２０Ａａ、３０Ｂａからは中空層Ｐ内に吸い込まれるように空気が流入する。この空気は図１、図４、図５、及び図７にＲ、Ｒ、…で示したように室外から中空層Ｐ、Ｐに流入する。流入される空気は外気であり、少なくとも中空層Ｐ、Ｐで暖められた空気よりは低い温度であるから、これにより室外側ガラスパネル７０、室内側ガラスパネル７５、ブラインド１３等が冷却される。
【００４５】
以上のような日射による加熱及び空気の移動が繰り返し連続的におこなわれることにより、中空層Ｐ、Ｐ、…内が、空気の移動がない場合に比べて低い温度で安定し、室内側の冷房効率の低下を抑制することが可能となる。
【００４６】
ここでカーテンウォールユニット１０Ａ、１０Ｂ、…によるカーテンウォールでは、空気が流入するための流通路と、空気が流出するための流通路と、が鉛直方向(上下方向）の同じライン上に存しないので、中空層Ｐから流出した空気が再び中空層Ｐ内に流入することがない。これによりショートサーキットを防止することができ、中空層Ｐ内の空気をより低い温度で安定させることが可能となる。
また、同じライン上の存する流通路同士についても、上下に隣接するカーテンウォールにおいて、第一区画部間に第二区画部（スパンドレル部）が配置されるので十分な距離が確保され、ショートサーキットを防止することができる。
【００４７】
また、本実施形態のカーテンウォールユニット１０Ａ、１０Ｂ、…では、スリット２０Ａａ、３０Ａａ、２０Ｂａ、３０Ｂａから中空層Ｐ、Ｐ、…内へ雨水が侵入することを防止するため、水侵入防止手段９０が備えられる。図９により説明する。図９は図７のうち、縦枠２０Ａ、３０Ｂの部分に注目して拡大した図である。
【００４８】
水侵入防止手段９０は、第一部材９１及び第二部材９２を備えている。第一部材９１は、図９からわかるようにその断面が略Ｌ字状を有する部材である。第一部材９１のＬ字状の一方の片である片９１ａ側の端部には該片９１ａに直交するように取り付け片９１ｂが設けられている。またＬ字状の他方の片である片９１ｃ側には、その面に複数の突起９１ｄ、９１ｄ、…が立設されている。また、当該片９１ｃの端部９１ｅは、片９１ａ側と同じ方向に曲げられている。
【００４９】
一方、第二部材９２は、その断面において折れ線状に形成された３つの片９２ａ、９２ｂ、９２ｃを備えている。
【００５０】
第一部材９１及び第二部材９２は、図９からわかるように、カーテンウォールユニット１０Ａ、１０Ｂが組み合わされたときに、片２１、片３１、片２４、３４、及びガラスパネル取り付け部２２、３２により囲まれる空間内に配置される。より詳しくは次の通りである。
第一部材９１は縦枠３０Ｂに取り付けられ、その際には片９１ａが見込み方向に延在し、片９１ｃが隣接するカーテンウォールユニット１０Ａの縦枠２０Ａの方向に延在する向きとされる。そして、片９１ｃの突起９１ｄ、９１ｄ、…はガラスパネル取り付け部２２、３２が配置される側に向けられる。図９からわかるように、片９１ｃは、ガラスパネル取り付け部２２、３２間の間隙の見込み方向室内側を横切るように形成されている。
【００５１】
第二部材９２は縦枠２０Ａに取り付けられ、その際には、片９２ａがガラスパネル取り付け部２２の室内側面に固定される。また、片９２ｂは、隣接するカーテンウォールユニット１０Ｂの縦枠３０Ｂの方向で、室内側に傾くように延在する。片９２ｃは、片９２ｂの先端からさらに縦枠３０Ｂの方向に延在する。第二部材９２では、片９２ｂ、片９２ｃによりガラスパネル取り付け部２２、３２間の間隙の見込み方向室内側を横切るように形成されている。
【００５２】
上記した水侵入防止手段９０によれば、図９にＴで示した方向から雨水がガラスパネル取り付け部２２、３２間に侵入しても、第二部材９２により雨水のこれ以上の侵入が抑制される。さらには、第一部材９１によってもこれ以上の雨水の侵入が抑制され、スリット２０Ａａ、３０Ｂａから中空層Ｐ、Ｐへの雨水の侵入が防止される。
【００５３】
ここで、第二部材９１の片９１ｃには突起９１ｄ、９１ｄ、…が設けられ、端部９１ｅも具備されているので、ここで雨水の移動が妨害され、効果的にその侵入を防止している。
【００５４】
ここでは、縦枠２０Ａと縦枠３０Ｂとの間に配置される水侵入防止手段について説明したが、縦枠３０Ａと縦枠２０Ｂとの間にも当該水侵入防止手段が配置され、同様に水の侵入を防いでいる。
水侵入防止手段９０は、スリット２０Ａａ、３０Ｂａが具備される位置付近に設置されていればよい。従って、縦枠２０Ａ、３０Ｂの全長に亘って延在している必要はなく、スリットの縦枠２０Ａ、３０Ｂの長手方向に沿った方向の大きさと同じ程度乃至１００ｍｍ長いくらいがよい。これにより、長手方向全長に亘って延在する場合に比べ、コストを抑え、通気抵抗を低く抑えることもできる。
【００５５】
図１０〜図１２は、他の形態の水侵入防止手段１９０、２９０、３９０のそれぞれを説明するための図である。図１０〜図１２は、図９に相当する図である。
【００５６】
図１０に表わした水侵入防止手段１９０は、第一部材１９１及び第二部材１９２を備えている。第一部材１９１と第二部材１９２とは、対称の形状を有しているので、ここでは第一部材１９１のみについて説明する。
第一部材１９１は、図１０からわかるように、見付方向に短い片１９１ａ、及び見込み方向に長い片１９１ｂである断面略Ｌ字状を有する部材である。片１９１ａは、室外側ガラスパネル７０の側端部の室外側面を押さえる片も兼ねている。
一方、片１９１ｂは、片１９１ａの端部から、片２１、片３１、片２４、３４、及びガラスパネル取り付け部２２、３２により囲まれる空間内にまで室内側に延在する。ここで、片１９１ｂの室内側端部は、片２１側とは反対側に向かって見付方向に曲げられている。また、片１９１ｂの面のうち、片２１と対向する側とは反対側の面からは、見込み方向に並列された複数の突起１９１ｃ、１９１ｃ、…が設けられている。
【００５７】
上記した水侵入防止手段１９０によれば、図１０にＵで示した方向から雨水がガラスパネル取り付け部２２、３２間に侵入しても、第一部材１９１と第二部材１９２との間の狭い空間が長く形成されているので、流路抵抗が大きいことから雨水のこれ以上の侵入が抑制される。さらには、突起１９１ｃ、１９１ｃ、…、１９２ｃ、１９２ｃ、…により室内側への水の流動が妨害され、効果的に水の侵入を防止している。一方、図１０から明らかなように、空気の流通路は確保されているので、中空層Ｐ、Ｐを介しての空気の移動が阻害されることはない。
【００５８】
水侵入防止手段１９０は、スリット２０Ａａ、３０Ｂａが具備される位置付近に設置されていればよい。従って、縦枠２０Ａ、３０Ｂの全長に亘って延在している必要はなく、スリット２０Ａａ、３０Ｂａの縦枠２０Ａ、３０Ｂの長手方向に沿った方向の大きさと同じ程度乃至１００ｍｍ長いくらいがよい。これにより、長手方向全長に亘って延在する場合に対し、コストを抑え、通気抵抗を低く抑えることもできる。
【００５９】
図１１に表わした水侵入防止手段２９０は、第一部材２９１及び第二部材２９２を備えている。第一部材２９１と第二部材２９２とは、対称の形状を有しているので、ここでは第一部材２９１のみについて説明する。
第一部材２９１は、図１１からわかるように、ガラスパネル取り付け部２２の室内側角部に設けられ、室内側に延在する片である。ここで、第一部材２９１の室内側端部は、片２１側とは反対側に向かって見付方向に曲げられている。
【００６０】
上記した水侵入防止手段２９０によれば、図１１にＶで示した方向から雨水がガラスパネル取り付け部２２、３２間に侵入しても、第一部材２９１と第二部材２９２との間の狭い空間が長く形成されているので、流路抵抗が大きいことから雨水のこれ以上の侵入が抑制される。一方、図１１から明らかなように、空気の流通路は確保されているので、中空層Ｐ、Ｐを介しての空気の移動が阻害されることはない。
【００６１】
水侵入防止手段２９０は、スリット２０Ａａ、３０Ｂａが具備される位置付近に設置されていればよい。従って、縦枠２０Ａ、３０Ｂの全長に亘って延在している必要はなく、スリットの縦枠２０Ａ、３０Ｂの長手方向に沿った方向の大きさと同じ程度乃至１００ｍｍ長いくらいがよい。これにより、長手方向全長に亘って延在する場合に比べ、コストを抑え、通気抵抗を低く抑えることもできる。
【００６２】
図１２に表わした水侵入防止手段３９０は、片３９１と片３９２とを備えている。片３９１は、図１２からわかるように、ガラスパネル取り付け部３２の室外側角部に設けられ、室外側に延在する片である。そして片３９２は、片３９１の室外側先端部から見付方向に延在する片である。ここで、片３９２は、ガラスパネル取り付け部２２と３２との間の見込み方向室外側を横切るように設けられる。従って、水侵入防止手段３９０によれば、図１２にＷで示した方向からの雨水は、片３９２に当たり、ガラスパネル取り付け部２２、３２間に侵入することができない。一方、図１２から明らかなように、空気の流通路は確保されているので、中空層Ｐ、Ｐを介しての空気の移動が阻害されることはない。
【００６３】
水侵入防止手段３９０は、スリット２０Ａａ、３０Ｂａが具備される位置付近に設置されていればよい。従って、縦枠２０Ａ、３０Ｂの全長に亘って延在している必要はなく、スリットの縦枠２０Ａ、３０Ｂの長手方向に沿った方向の大きさと同じ程度乃至１００ｍｍ長いくらいがよい。これにより、長手方向全長に亘って延在する場合に比べ、コストを抑え、通気抵抗を低く抑えることもできる。
ただし、水侵入防止手段３９０は室外に露出して表れることから、外観の観点から、水侵入防止手段３９０が縦枠２０Ａ、３０Ｂの長手方向に沿って長く延在してもよい。これによっても水侵入防止手段３９０としての機能は有する。
【００６４】
以上、現時点において、実践的でありかつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うカーテンウォールユニット及び該カーテンウォールユニットが配置されたカーテンウォールもまた本発明の技術的範囲に包含されるものとして理解されなければならない。
【符号の説明】
【００６５】
１０Ａ、１０Ｂ  カーテンウォールユニット
１５  枠体
２０Ａ、３０Ａ、２０Ｂ、３０Ｂ  縦枠
２０Ａａ  スリット（第一の流通口）
２０Ｂａ  スリット（第二の流通口）
３０Ａａ  スリット（第二の流通口）
３０Ｂａ  スリット（第一の流通口）
４０  上横枠（横枠）
５０  下横枠（横枠）
６０  中間横枠（横枠）
７０  室外側ガラスパネル（第一のガラスパネル）
７５  室内側ガラスパネル（第二のガラスパネル）
９０、１９０、２９０、３９０  水侵入防止手段
【図１】
2011111833.tif 000003
【図２】
2011111833.tif 000004
【図３】
2011111833.tif 000005
【図４】
2011111833.tif 000006
【図５】
2011111833.tif 000007
【図６】
2011111833.tif 000008
【図７】
2011111833.tif 000009
【図８】
2011111833.tif 000010
【図９】
2011111833.tif 000011
【図１０】
2011111833.tif 000012
【図１１】
2011111833.tif 000013
【図１２】
2011111833.tif 000014